(57)【要約】【課題】連絡帳や給食費出納袋などが収納される忘れ物防止装置をカバンの被せ蓋ならびに本体に着脱自在に設け、該被せ蓋が閉じた状態で忘れ物防止装置の収納確認凸部が収納確認窓から露出して視認できると共に、忘れ物防止装置が装着されない限り締結ロック具が機能しない忘れ物防止機能を備えるカバンの提供を図る。【解決手段】本発明は、忘れ物防止装置と、収納確認窓と、を設けて成るカバンであって、該装置忘れ物防止装置は、カバンの被せ蓋に着脱自在に設けると共に、連絡ボードの片面に収納確認凸部を設け、もう一方の片面に差込収納部ならびにポケット収納部を設け、上方部に壁掛けフック穴を設け、下方部に舌片部を備える締結ロック具を設けて成り、また収納確認窓は、収納確認凸部が嵌め込まれる形状を有して被せ蓋の下方中央部に形成され、被せ蓋が閉じた状態で忘れ物防止装置の収納確認凸部が収納確認窓から露出して視認できると共に、忘れ物防止装置が装着されない限り締結ロック具が機能しない手段を採る。【選択図】図１
2010042301.tif 000002
【特許請求の範囲】
【請求項１】
忘れ物防止機能を備えるカバンであって、
前記カバンは、忘れ物防止装置と、収納確認窓と、を設けて成り
前記忘れ物防止装置は、前記カバンの被せ蓋に着脱自在に設けると共に、連絡ボードの片面に収納確認凸部を設け、もう一方の片面に差込収納部ならびにポケット収納部を設け、上方部に壁掛けフック穴を設け、下方部に舌片部を備える締結ロック具を設けて成り、
前記収納確認窓は、前記収納確認凸部が嵌め込まれる形状を有して前記被せ蓋の下方中央部に形成され、
前記収納確認凸部が前記被せ蓋が閉じた状態で前記収納確認窓から露出して視認できると共に、前記忘れ物防止装置が装着されない限り締結ロック具が機能しないことを特徴とする忘れ物防止機能を備えるカバン。
【請求項２】
忘れ物防止機能を備えるカバンであって、
前記カバンは、忘れ物防止装置と、収納確認窓と、を設けて成り、
前記忘れ物防止装置は、前記カバン本体に着脱自在に設けると共に、連絡ボードの片面に収納確認凸部を設け、もう一方の片面に差込収納部ならびにポケット収納部を設け、上方部に舌片部を備える壁掛けフック穴を設けて成り、
前記収納確認窓は、前記収納確認凸部が嵌め込まれる形状を有して前記被せ蓋の下方中央部に形成され、
前記収納確認凸部が、前記被せ蓋が閉じた状態で前記収納確認窓から露出して視認できることを特徴とする忘れ物防止機能を備えるカバン。
【発明の詳細な説明】
【技術分野】
【０００１】
本発明は、連絡帳や給食費出納袋などが収納される忘れ物防止装置を備えるカバンに関する。
【背景技術】
【０００２】
従来のランドセルの機能は、学習用具類は主収納部やマチ収納部に収められ、小物などはマチ収納部の前方に設けられるポケット部に収められる収納機能と、背負いベルトや主収納部の側面やマチ付収納部の一部に防犯装置ならびに安全装置が備えられるランドセルが提供されている。
【０００３】
例えば、マチ付収納部の前方にスライドファスナーによって開閉自在としたポケット部を備えた「ランドセル」(特許文献1参照)や、ランドセルの被い蓋を重ね合わせても透けて見えるようにした第１ならびに第２収納ポケットを設けた「ランドセルの被い蓋」(特許文献２参照)や、ランドセルの主収納部の側面に防犯ブザーを設けた「防犯ブザー装着鞄」(特許文献３参照)や、防犯ブザーを背負いベルトに固定する「防犯ブザーを背負いベルトに固定する器具」(特許文献４参照)や、ランドセルの被い蓋の前面に緊急警報装置を取り付けた「緊急警報装置付きランドセル」(特許文献５参照)や、ランドセルの被い蓋の前面に反射シート付設した「交通安全反射板」(特許文献６参照)が提案されている。
【０００４】
しかしながら、上記の提案のいずれも、単に教科書やノートなどの学習用具を収納することや、防犯装置ならびに安全装置を備えるランドセルの改善に過ぎず、連絡帳や返却されたテストや給食費出納袋などを忘れることなく収納し、自宅で確実に保護者が確認することができる忘れ物防止機能を備えるランドセルではなかった。
【先行技術文献】
【特許文献】
【０００５】
【特許文献１】特許公開２００８-２８４０８８号公報
【特許文献２】特許公開２０００-４９１９号公報
【特許文献３】登録実用新案第３１０３４８９号公報
【特許文献４】特許公開２００７-６８５９０号公報
【特許文献５】特許公開２００８-６２３３号公報
【特許文献６】実用新案公開平６-２５８６７号公報
【発明の概要】
【発明が解決しようとする課題】
【０００６】
本発明は上記問題点を鑑み、連絡帳や給食費出納袋などが収納される忘れ物防止装置をカバンの被せ蓋ならびに本体に着脱自在に設け、該被せ蓋が閉じられた状態で忘れ物防止装置の収納確認凸部が収納確認窓から露出して視認できると共に、忘れ物防止装置が装着されない限り締結ロック具が機能しない忘れ物防止機能を備えるカバンの提供を図るもので、下記に本発明の忘れ物防止装置の特徴的な構造を述べる。
（１）被せ蓋が被せられた状態でカバン内に納められた忘れ物防止装置の収納確認凸部を収納確認窓から露出させて視認できる共に、忘れ物防止装置が装着されない限り締結ロック具が機能しない構造とした。
（２）忘れ物防止装置の連絡ボードの片面に収納確認凸部を形成し、もう一方の片面には連絡帳や給食費出納袋などが納められる差込収納部ならびにポケット収納部を設け、家庭の壁などに掛けられて保護者が確認することができる構造とした。
（３）忘れ物防止装置の収納確認凸部を施錠付のボックス体とし、該ボックス体に防犯装置や通信装置および安全装置を備える構造とした。
【０００７】
以上のように本発明による忘れ物防止機能を備えるカバンは、忘れ物防止を図るため視認による防止手段と、物理的構造による施錠手段と、保護者による目視手段を有する構造であるため、従来に増して確実に忘れ物防止を図ることができるものである。また、本発明の忘れ物防止装置内に防犯装置や通信装置ならびに安全装置などを備えることもできるため、例えば、学校内に携帯電話を持ち込んでも通話やメールの規制ができるなど新たな教育現場での携帯電話のあり方を提案するものである。
【課題を解決するための手段】
【０００８】
本発明は、忘れ物防止機能を備えるカバンであって、該カバンは、忘れ物防止装置と収納確認窓とを設けて成り、該忘れ物防止装置は、カバンの被せ蓋に着脱自在に設けられると共に、連絡ボードの片面に収納確認凸部を設け、もう一方の片面に差込収納部ならびにポケット収納部を設け、上方部に壁掛けフック穴を設け、下方部に舌片部を備える締結ロック具を設けて成り、該収納確認窓は、収納確認凸部が嵌め込まれる形状を有して被せ蓋の下方中央部に形成され、収納確認凸部が被せ蓋が閉じた状態で露出して外部から視認できると共に、忘れ物防止装置が装着されない限り締結ロック具が機能しない手段を採る。
【０００９】
また本発明は、忘れ物防止機能を備えるカバンであって、該カバンは、忘れ物防止装置と収納確認窓とを設けて成り、該忘れ物防止装置は、カバン本体に着脱自在に設けられると共に、連絡ボードの片面に収納確認凸部を設け、もう一方の片面に差込収納部ならびにポケット収納部を設け、上方部に舌片部を備える壁掛けフック穴を設けて成り、該収納確認窓は、収納確認凸部が嵌め込まれる形状を有して前記被せ蓋の下方中央部に形成され、被せ蓋が閉じた状態で収納確認凸部が収納確認窓から露出して視認できる手段を採る。
【発明の効果】
【００１０】
本発明の忘れ物防止機能を備えるカバンによれば、ランドセル内に納められた忘れ物防止装置がランドセルの被せ蓋が被せた状態で収納確認窓から視認できることによって、カバン内に忘れ物防止装置があれば連絡帳や給食費出納袋などを保護者に見せていない状態となり、忘れ物防止装置がカバンから出されて家庭の壁に掛けられていれば連絡帳や給食費出納袋などを保護者に見せたことになるもので、忘れ物防止装置のカバン内の所在位置で連絡帳や給食費出納袋の学校ならびに家庭への連絡状態を間接的に把握できるものである。
【００１１】
また、忘れ物防止装置の片面に収納確認凸部を設け、もう一方の片面に連絡帳や給食出納袋などが納められる差込収納部ならびにポケット収納部を設けた忘れ物防止装置をカバンから取り出して壁などに掛けられる構造とすることで、登下校時においては被せ蓋の一部として機能し、取り出し時においては連絡帳や給食費出納袋などを保護者に知らせる連絡ボードの役割を果たすものである。
【００１２】
また、本発明の別の実施形態による忘れ物防止機能を備えるカバンによれば、忘れ物防止装置の収納確認凸部を施錠付のボックス体とし、被せ蓋の収納確認窓から積極的にそのボックス体を突出させることによって乾電池等の電力源を内蔵した防犯装置や通信装置ならびに安全装置を内蔵できるもので、また忘れ物防止装置の収納確認凸部の表面に反射プレートを貼設することによって、暗くなってからの下校時や塾への通学時の車のライトによる反射照明による安全対策を図ったり、施錠付のボックス体内に携帯電話を規制された状態で使用できる構造を採ることにより、学校への携帯電話の持ち込み、有害サイトの閲覧、悪質メールの書き込みなどの制限処置を採ることができるものである。
【００１３】
また、本発明の別の実施形態による忘れ物防止機能を備えるカバンによれば、手提げカバンに忘れ物防止装置の収納確認凸部内に防犯装置や通信装置ならびに安全装置を備えるものである。中学校における携帯電話持込みに関する規制を猶予するもので、忘れ物防止装置の収納確認凸部を施錠付のボックス体とすることで、学校内での携帯電話の通話を規制することで上記の小学校の実施形態と同様に学校内への携帯電話の持込みを可能とするものである。
【図面の簡単な説明】
【００１４】
【図１】図１は、本発明におけるランドセルの全体構成を示す説明図である。（実施例１  ）
【図２】図２は、本発明におけるランドセルの使用状態を示す説明図である。（実施例２）
【図３】図３は、本発明におけるランドセルの別の使用状態を示す説明図である。（実施例３）
【図４】本発明における忘れ物防止装置の別の実施形態を示す説明図である（実施例４）
【図５】図５は、本発明における手提げカバンの実施形態を示す説明図である。（実施例５）
【図６】図６は、本発明における手提げカバンの別の実施形態を示す説明図である。（実施例６）
【発明を実施するための形態】
【００１５】
本発明は、連絡帳や給食費出納袋などが収納される忘れ物防止装置をカバンの被せ蓋ならびに本体に着脱自在に設け、該被せ蓋が閉じた状態で忘れ物防止装置の収納確認凸部が収納確認窓から露出して視認できると共に、忘れ物防止装置が装着されない限り締結ロック具が機能しない忘れ物防止機能を備えたカバンとしたことを最大の特徴とするもので、以下、実施例を図面を基に説明する。
【実施例１】
【００１６】
図１は、本発明におけるランドセルの全体構成を示す説明図である。
図（a）忘れ物防止装置３０がランドセル１１内に収納された状態を示し、図（ｂ）はランドセル１１の被せ蓋２０を開いた状態を示し、図（ｃ）は忘れ物防止装置３０の前面を示し、図（ｄ）は忘れ物防止装置３０の後面を示す。
本発明におけるランドセル１１は、収納確認窓２１が設けられる被せ蓋２０と、差込収納部３２ならびにポケット収納部３３が設けられる忘れ物防止装置３０で構成される。
【００１７】
尚、本発明におけるランドセル１１ならびに忘れ物防止装置３０は、以下に述べる実施例に限定されるものではなく特に外形形状や寸法ならびに材質は、本発明の趣旨に逸脱しない範囲で変更することができる。
【００１８】
被せ蓋２０は、ランドセル１１の前面を全面的に覆う蓋であって、下方中央部に忘れ物防止装置３０の収納確認凸部３７が露出する収納確認窓２１が設けられる。裏側には忘れ物防止装置３０を係止する係止フック２４が忘れ物防止装置３０の落込み孔付係止穴３５に掛合して設けられる。
【００１９】
収納確認窓２１は、被せ蓋２０の下方中央部に忘れ物防止装置３０の収納確認凸部３７が露出する形状で形成され、その形状ならびに大きさは特に限定されないが、ランドセル１１内に収められる忘れ物防止装置３０の所在が外部から容易に視認できる形状ならびに大きさが好ましい。また、収納確認窓２１を比較的大きく形成する場合は、樹脂製の補強板２７を被せ蓋２０内に設ける構造とすることで被せ蓋２０のへたりを防止することができる。
【００２０】
係止フック２４は、ランドセル１１の被せ蓋２０の裏側に忘れ物防止装置３０の落込み孔付係止穴３５に掛合して設けられる。先端部が円形のフックで、落込み孔付係止穴３５に嵌めた後、落込み孔にスライドさせて係止する構造を有する。
【００２１】
忘れ物防止装置３０は、材質はランドセル１１と同様な防水加工が施された本革や合成皮革などが使用され、ランドセル１１の被せ蓋２０の裏側の係止フック２４に掛合されるもので、連絡ボード３１の後面には連絡表Ｒや返却されたテストＴが収められる差込収納部３２と給食費出納袋Ｋなどの現金や貴重品が納められるスライドファスナーＳ付のポケット収納部３３を備え、下方には舌片部３８を有する締結ロック具３９を備えて、忘れ物防止装置３０が装着されない限り締結ロック具３９が機能しない構造とし、前面には一定の厚みがある（被せ蓋２０の厚みと同等）収納確認凸部３７を形成し、ランドセル１１の被せ蓋２０の収納確認窓２１から露出する構造と、収納確認凸部３７が被せ蓋２０の収納確認窓２１から露出することによってランドセル１１内に忘れ物防止装置３０が収納されていることを外部から視認できるもので、収納されていることにより登校時は連絡表Ｒや給食出納袋Ｋなどを児童が忘れることなく学校に持っていくことが確認でき、下校時には自宅の壁の壁掛フック４８に忘れ物防止装置３０が掛けられていることにより、学校からの連絡表Ｒや返却されたテストＴ、給食費出納袋Ｋなどを保護者に確実に知らせる連絡ボードの役割を果たすものである。
【００２２】
係止具３４は、忘れ物防止装置３０の前面と被せ蓋２０の背面に設けられるもので、忘れ物防止装置３０と被せ蓋２０の隙間をなくして雨水などの浸入防止を図るもので、装着時は被せ蓋２０の上から押し込んで係止し、外す時は被せ蓋２０を引き上げることで開放される。
【００２３】
落込み孔付係止穴３５は、忘れ物防止装置３０の周縁に設けられるもので、ランドセル１１の被せ蓋２０の裏側に設けられる係止フック２４に掛合して設けられる。係止フックの先端部で嵌められ、さらに落込み孔にスライドさせて係止する構造を有する。
【００２４】
壁掛けフック穴３６は、忘れ物防止装置３０の上方中央部に設けられ、家庭の壁などの壁掛フック４８に掛けられる構造を有する。
【００２５】
収納確認凸部３７は、忘れ物防止装置３０の前面に被せ蓋２０の厚みと同じくして設けられ、被せ蓋２０の収納確認窓２１から露出されて視認される。被せ蓋２０の厚みと同じくすることで被せ蓋２０の収納確認窓２１を目立たなくすることや、キャラクターやロゴマークをデザイン化して外観美観を上げることができるもので、また積極的に収納確認凸部３７を厚みのある施錠付のボックス体４０とすることで、防犯装置４１や通信装置４２ならびに安全装置４３を備えることもできる。
【実施例２】
【００２６】
図２は、本発明におけるランドセルの使用状態を示す説明図である。
(a) 登下校時のランドセル１１の状態を示すもので、ランドセ１１内に収められた忘れ物防止装置３０の収納確認凸部３７が被せ蓋２０の収納確認窓２１から露出されてランドセル１１内に忘れ物防止装置３０が収められていることを外部より視認できるものである。
(b) 被せ蓋２０を開放し、忘れ物防止装置３０が被せ蓋２０の係止フック２４によって掛合している状態を示す。
(c) 被せ蓋２０の係止フック２４から忘れ物防止装置３０を取り出した状態を示す。
(d) 取り出された忘れ物防止装置３０の前面を示すものである。
(e) 取り出された忘れ物防止装置３０の後面を示すもので、忘れ物防止装置３０の後面に設けられている差込収納部３２には連絡帳Ｒや返却されたテストＴなどが収められ、スライドファスナーＳ付のポケット収納部３３には給食費出納袋Ｋや小物、財布などが収められる。
(ｆ) 忘れ物防止装置３０が、ランドセル１１から取り出されて後面を前側として家庭の壁などの壁掛フック４８に掛けられる。忘れ物防止装置３０が壁掛フック４８に掛けられていることによって学校からの連絡事項が忘れることなく保護者に確実に知らされるものである。
(ｇ) 忘れ物防止装置３０がランドセル１１に収納されていない状態を示すもので、被せ蓋２０の収納確認窓２１から忘れ物防止装置３０の収納状態が確認できるもので、学校からの連絡事項がある無しは、ランドセル１１内に忘れ物防止装置３０がある無しで忘れ物があるか無いか判断するものである。また、忘れ物防止装置３０が取り出されたことによってランドセル１１本体の内側に忘れ物の注意喚起や名札を表示したステッカー２３がランドセルの被せ蓋２０を閉じた状態で収納確認窓２１より視認できることによって忘れ物防止装置３０の収納状態が確認できるもので、すなわち、忘れ物防止装置３０に収められている連絡帳Ｒや返却されたテストＴや給食費出納袋Ｋなどの所在が間接的に分かる様にしたものである。また、忘れ物防止装置３０の下方には締結ロック具３９を備えて、忘れ物防止装置３０が装着されない限り締結ロック３９具が機能しない構造としている。
【実施例３】
【００２７】
図３は、本発明におけるランドセルの別の使用状態を示す説明図である。
(a) 登下校時のランドセル１１の状態を示すもので、ランドセ１１内に収められた忘れ物防止装置３０の収納確認凸部３７が被せ蓋２０の収納確認窓２１から露出されてランドセル１１内に忘れ物防止装置３０が収められていることを外部より視認できるものである。
(b)被せ蓋２０を引き上げることで係止具３４が開放され、忘れ物防止装置３０がランドセル１１本体の係止フック２４によって掛合している状態を示す。
(c) ランドセル１１本体の係止フック２４から忘れ物防止装置３０が取り出した状態を示す。
(d) 取り出された忘れ物防止装置３０の前面を示すものである。
(e) 取り出された忘れ物防止装置３０の後面を示すもので、忘れ物防止装置３０の後面に設けられている差込収納部３２には連絡帳Ｒや返却されたテストＴなどが収められ、スライドファスナーＳ付のポケット収納部３３には給食費出納袋Ｋや小物、財布などが収められる。
(ｆ) 忘れ物防止装置３０がランドセル１１から取り出されて後面を前側として家庭の壁などの壁掛フック４８に掛けられる。忘れ物防止装置３０が壁掛フック４８に掛けられていることによって学校からの連絡事項が忘れることなく保護者に確実に知らされるものである。
(ｇ) 忘れ物防止装置３０がランドセル１１に収納されていない状態を示すもので、被せ蓋２０の収納確認窓２１から忘れ物防止装置３０の収納状態が確認できるもので、学校からの連絡事項がある無しは、ランドセル１１内に忘れ物防止装置３０がある無しで忘れ物があるか無いか判断するものである。また、忘れ物防止装置３０が取り出されたことによってランドセル１１本体の内側に忘れ物の注意喚起や名札を表示したステッカー２３がランドセルの被せ蓋２０を閉じた状態で収納確認窓２１より視認できることによって忘れ物防止装置３０の収納状態が確認できるもので、すなわち、忘れ物防止装置３０に収められている連絡帳Ｒや返却されたテストＴや給食費出納袋Ｋなどの所在が間接的に分かる様にしたものである。
【実施例４】
【００２８】
図４は、本発明における忘れ物防止装置の別の実施形態を示す説明図である。
図（a）は、忘れ物防止装置３０に設けられる収納確認凸部３７を施錠付のボックス体４０とし、該ボックス体４０に防犯装置４１を備えた実施例を示す。
小学校の登下校時に使用されるもので、また収納確認凸部３７を施錠付のボックス体４０とすることで、該施錠付のボックス体４０に警報ブザー４７やサイレン、非常灯を内蔵し登下校時の防犯警報装置として利用できるものである。
【００２９】
図（ｂ）は、忘れ物防止装置３０に設けられる収納確認凸部３７を施錠付のボックス体４０とし、該ボックス体４０に通信装置４２を備えた実施例を示す。
小学校における携帯電話持込みに関する規制を猶予するもので、学校内での携帯電話４６を施錠付のボックス体４０内に収めることを規則事項とすることで学校内への携帯電話４６の持込みを可能とし、登下校時の通話とＧＰＳ機能を利用した位置確認ができるようにしたものである。
【００３０】
図（ｃ）は、忘れ物防止装置３０に設けられる収納確認凸部３７を施錠付のボックス体４０とし、該ボックス体４０に安全装置４３を備えた実施例を示す。
小学校の登下校時に使用されるもので、忘れ物防止装置３０の収納確認凸部３７の表面に反射ステッカーや反射プレート４４を貼付したり、ボックス体４０内に電池式点滅装置４５を内蔵してドライバーに児童の存在を認識させるようにしたものである。
【実施例５】
【００３１】
図５は、本発明における手提げカバンの実施形態を示す説明図である。
図（a）忘れ物防止装置３０が手提げカバン１２の被せ蓋２０から外された状態の実施例を示すもので、手提げカバン１２内に収められた忘れ物防止装置３０の収納確認凸部３７が被せ蓋２０の収納確認窓２１から露出されて手提げカバン１２内に忘れ物防止装置３０が収められていることを収納確認窓２１より視認できるもので、被せ蓋２０を開放し、被せ蓋２０の係止フック２４から忘れ物防止装置３０を取り外すことができるものである。
【００３２】
図（ｂ）はその外された忘れ物防止装置３０の全体図を示すもので、忘れ物防止装置３０が手提げカバン１２から取り出されて後面を前側として家庭の壁などの壁掛フック４８に掛けられる。忘れ物防止装置３０が壁掛フック４８に掛けられることによって学校からの連絡事項が忘れることなく保護者に確実に知らされるものである。 忘れ物防止装置３０が手提げカバン１２から取り出され、被せ蓋２０の収納確認窓２１から忘れ物防止装置３０の収納状態が確認できるもので、学校からの連絡事項がある無しは、手提げカバン１２内に忘れ物防止装置３０がある無しで忘れ物があるか無いか判断するものである。また、忘れ物防止装置３０が取り出され、手提げカバン１２本体の内側に忘れ物の注意喚起や名札を表示したステッカー２３がランドセルの被せ蓋２０を閉じた状態で外部より視認できることによって忘れ物防止装置３０の収納状態が確認できるもので、すなわち、忘れ物防止装置３０に収められている連絡帳Ｒや返却されたテストＴや給食費出納袋Ｋなどの所在が間接的に分かる様にしたものである。また、忘れ物防止装置３０の下方には締結ロック具３９を備えて、忘れ物防止装置３０が装着されない限り締結ロック具３９が機能しない構造としている。
【実施例６】
【００３３】
図６は、本発明における手提げカバンの別の実施形態を示す説明図である。
図（a）忘れ物防止装置３０が手提げカバン１２の本体から外された状態の実施例を示すもので、手提げカバン１２内に収められた忘れ物防止装置３０の収納確認凸部３７が被せ蓋２０の収納確認窓２１から露出されて提げカバン１２内に忘れ物防止装置３０が収められていることを収納確認窓２１より視認できるもので、被せ蓋２０を引き上げることで係止具３４が開放され、被せ蓋２０の係止フック２４から忘れ物防止装置３０を取り外すことができるものである。
【００３４】
図（ｂ）はその外された忘れ物防止装置３０の全体図を示すもので、カバン１２の本体の係止フック２４から忘れ物防止装置３０が取り出した状態を示す。 忘れ物防止装置３０が手提げカバン１２から取り出されて後面を前側として家庭の壁などの壁掛フック４８に掛けられる。忘れ物防止装置３０が壁掛フック４８に掛けられていることによって学校からの連絡事項が忘れることなく保護者に確実に知らされるものである。 忘れ物防止装置３０が手提げカバン１２から取り出されて、被せ蓋２０の収納確認窓２１から忘れ物防止装置３０の収納状態が確認できるもので、学校からの連絡事項がある無しは、手提げカバン１２内に忘れ物防止装置３０がある無しで忘れ物があるか無いか判断するものである。また、忘れ物防止装置３０が取り出され、手提げカバン１２本体の内側に忘れ物の注意喚起や名札を表示したステッカー２３がランドセルの被せ蓋２０を閉じた状態で収納確認窓２１より視認できることによって忘れ物防止装置３０の収納状態が確認できるもので、すなわち、忘れ物防止装置３０に収められている連絡帳Ｒや返却されたテストＴや給食費出納袋Ｋなどの所在が間接的に分かる様にしたものである。
【産業上の利用可能性】
【００３５】
本発明における忘れ物防止装置と防犯装置や通信装置ならびに安全装置を備えるカバンは、例えば安全点検を行なう全ての制御装置の点検確認作業用に応用することができる上、携帯電話機をボックス体に収容して規則時間内においての携帯電話の持込み・通話規制を図ることができるもので、本発明における忘れ物防止機能を備えるカバンの提案は、産業上の利用可能性は極めて大であるものと解する。
【符号の説明】
【００３６】
１０  カバン
１１  ランドセル
１２  手提げカバン
２０  被せ蓋
２１  収納確認窓
２２  マチ付収納部
２３  ステッカー
２４  係止フック
２５  主収納部
２６  マチ幅調整ベルト
２７  補強板
３０  忘れ物防止装置
３１  連絡ボード
３２  差込収納部
３３  ポケット収納部
３４  係止具
３５  落込み孔付係止穴
３６  壁掛けフック穴
３７  収納確認凸部
３８  舌片部
３９  締結ロック具
４０  ボックス体
４１  防犯装置
４２  通信装置
４３  安全装置
４４  反射ステッカーや反射プレート
４５  電池式点滅装置
４６  携帯電話
４７  警報ブザー
４８  壁掛けフック
Ｒ    連絡表
Ｔ    テスト
Ｋ    給食費出納袋
Ｓ    スライドファスナー
【図１】
2010042301.tif 000003
【図２】
2010042301.tif 000004
【図３】
2010042301.tif 000005
【図４】
2010042301.tif 000006
【図５】
2010042301.tif 000007
【図６】
2010042301.tif 000008